【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
コンテンツデータを再生する携帯型再生装置において、
前記携帯型再生装置の傾きを検出する傾き検出手段と、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定手段と、
前記判定手段によって前記経過時間が前記基準時間以内であると判定された場合、前記他の状態における前記携帯型再生装置の、前記基準状態に対する傾き方向に基づいて、前記コンテンツデータの再生位置を変更する再生制御手段と、
前記傾き検出手段によって検出される前記携帯型再生装置の傾き状態が前記基準状態から前記他の状態に変化した場合に、前記携帯型再生装置の傾き状態が前記基準状態から前記他の状態へと変化するまでの経過時間が基準時間以内であるか否かを判定する第２判定手段と、
を含み、
前記再生制御手段は、前記傾き検出手段によって検出される前記携帯型再生装置の傾き状態が前記基準状態から前記他の状態に変化した場合、前記第２判定手段によって前記経過時間が前記基準時間以内であると判定された後の期間において、現在の前記携帯型再生装置の、前記基準状態に対する傾き方向に基づいて、前記コンテンツデータの再生位置を変更する手段を含む、
ことを特徴とする携帯型再生装置。
【請求項２】
請求項１に記載の携帯型再生装置において、
前記第２判定手段によって前記経過時間が前記基準時間以内であると判定された後の前記期間において、現在の前記携帯型再生装置の、前記基準状態に対する傾きの大きさに対応する速度で、前記コンテンツデータの再生位置を変更することを特徴とする携帯型再生装置。
【請求項３】
コンテンツデータを再生する携帯型再生装置において、
前記携帯型再生装置へのユーザの近接を検出する近接検出手段と、
前記携帯型再生装置の傾きを検出する傾き検出手段と、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定手段と、
前記判定手段によって前記経過時間が前記基準時間以内であると判定された場合、前記他の状態における前記携帯型再生装置の、前記基準状態に対する傾き方向に基づいて、前記コンテンツデータの再生位置を変更する再生制御手段と、
前記再生制御手段による前記コンテンツデータの再生制御の実行を前記近接検出手段の検出結果に基づいて制限する制限手段と、
を含むことを特徴とする携帯型再生装置。
【請求項４】
コンテンツデータを再生する携帯型再生装置において、
前記携帯型再生装置の傾きを検出する傾き検出手段と、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定手段と、
前記判定手段によって前記経過時間が前記基準時間以内であると判定された場合、前記他の状態における前記携帯型再生装置の、前記基準状態に対する傾き方向に基づいて、前記コンテンツデータの再生位置を変更する再生制御手段と、
を含み、
前記再生制御手段は、前記判定手段によって前記経過時間が前記基準時間以内であると判定された場合において、前記他の状態における前記携帯型再生装置の、前記基準状態に対する前記傾き方向が、第１の軸を回転軸とする傾き方向である場合に、前記コンテンツデータの再生位置を変更し、
前記携帯型再生装置は、前記判定手段によって前記経過時間が前記基準時間以内であると判定された場合において、前記他の状態における前記携帯型再生装置の、前記基準状態に対する前記傾き方向が、前記第１の軸と直交する第２の軸を回転軸とする傾き方向である場合に、前記コンテンツデータの現在の再生位置を示す情報を、記憶手段に記憶されるブックマークデータに登録するブックマーク登録手段を含む、
ことを特徴とする携帯型再生装置。
【請求項５】
請求項４に記載の携帯型再生装置において、
前記携帯型再生装置は、前記判定手段によって前記経過時間が前記基準時間以内であると判定された場合において、前記他の状態における前記携帯型再生装置の、前記基準状態に対する前記傾き方向が、前記第２の軸を回転軸とする傾き方向であり、かつ、前記コンテンツデータの現在の再生位置を示す情報が前記ブックマークデータにすでに登録されている場合、前記コンテンツデータの現在の再生位置を示す情報を前記ブックマークデータから削除する手段を含む、
ことを特徴とする携帯型再生装置。
【請求項６】
請求項１乃至５のいずれかに記載の携帯型再生装置において、
前記再生制御手段は、前記コンテンツデータの再生位置を変更する場合の前記コンテンツデータの再生位置の変更の程度を、前記他の状態における前記携帯型再生装置の、前記基準状態に対する傾きの大きさに基づいて設定する手段を含むことを特徴とする携帯型再生装置。
【請求項７】
請求項１乃至６のいずれかに記載の携帯型再生装置において、
前記コンテンツデータは複数の単位コンテンツデータを含み、
前記携帯型再生装置は、複数の単位コンテンツデータの各々を順序情報に従って順番に再生し、
前記再生制御手段は、再生対象の単位コンテンツデータを、現在の再生対象の単位コンテンツデータよりも後又は前の単位コンテンツデータに変更することによって、前記コンテンツデータの再生位置を変更する、
ことを特徴とする携帯型再生装置。
【請求項８】
請求項１乃至７のいずれかに記載の携帯型再生装置において、
前記他の状態は、前記基準状態との傾きの差が第１の基準値以上である状態であり、
前記判定手段は、前記傾き検出手段によって検出される前記携帯型再生装置の傾き状態が、前記基準状態との傾きの差が、前記第１の基準値よりも小さい第２の基準値以内である状態になった場合に、前記携帯型再生装置の傾き状態が前記基準状態に戻ったとみなす、
ことを特徴とする携帯型再生装置。
【請求項９】
コンテンツデータを再生する携帯型再生装置であって、前記携帯型再生装置の傾きを検出する傾き検出手段を含む携帯型再生装置の制御方法において、
前記携帯型再生装置の傾きに関する傾き情報を前記傾き検出手段から取得するステップと、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定ステップと、
前記判定ステップにおいて前記経過時間が前記基準時間以内であると判定された場合、前記他の状態における前記携帯型再生装置の、前記基準状態に対する傾き方向に基づいて、前記コンテンツデータの再生位置を変更する再生制御ステップと、
前記傾き検出手段によって検出される前記携帯型再生装置の傾き状態が前記基準状態から前記他の状態に変化した場合に、前記携帯型再生装置の傾き状態が前記基準状態から前記他の状態へと変化するまでの経過時間が基準時間以内であるか否かを判定する第２判定ステップと、
を含み、
前記再生制御ステップは、前記傾き検出手段によって検出される前記携帯型再生装置の傾き状態が前記基準状態から前記他の状態に変化した場合、前記第２判定ステップにおいて前記経過時間が前記基準時間以内であると判定された後の期間において、現在の前記携帯型再生装置の、前記基準状態に対する傾き方向に基づいて、前記コンテンツデータの再生位置を変更するステップを含む、
ことを特徴とする携帯型再生装置の制御方法。
【請求項１０】
前記携帯型再生装置の傾きを検出する傾き検出手段を含むコンピュータを、コンテンツデータを再生する携帯型再生装置として機能させるためのプログラムであって、
前記携帯型再生装置の傾きに関する傾き情報を前記傾き検出手段から取得する手段、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定手段、
前記判定手段によって前記経過時間が前記基準時間以内であると判定された場合、前記他の状態における前記携帯型再生装置の、前記基準状態に対する傾き方向に基づいて、前記コンテンツデータの再生位置を変更する再生制御手段、及び、
前記傾き検出手段によって検出される前記携帯型再生装置の傾き状態が前記基準状態から前記他の状態に変化した場合に、前記携帯型再生装置の傾き状態が前記基準状態から前記他の状態へと変化するまでの経過時間が基準時間以内であるか否かを判定する第２判定手段、
として前記コンピュータを機能させ、
前記再生制御手段は、前記傾き検出手段によって検出される前記携帯型再生装置の傾き状態が前記基準状態から前記他の状態に変化した場合、前記第２判定手段によって前記経過時間が前記基準時間以内であると判定された後の期間において、現在の前記携帯型再生装置の、前記基準状態に対する傾き方向に基づいて、前記コンテンツデータの再生位置を変更する手段を含む、
ことを特徴とするプログラム。
【請求項１１】
コンテンツデータを再生する携帯型再生装置であって、前記携帯型再生装置の傾きを検出する傾き検出手段と、前記携帯型再生装置へのユーザの近接を検出する近接検出手段とを含む携帯型再生装置の制御方法において、
前記携帯型再生装置の傾きに関する傾き情報を前記傾き検出手段から取得するステップと、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定ステップと、
前記判定ステップにおいて前記経過時間が前記基準時間以内であると判定された場合、前記他の状態における前記携帯型再生装置の、前記基準状態に対する傾き方向に基づいて、前記コンテンツデータの再生位置を変更する再生制御ステップと、
前記再生制御ステップによる前記コンテンツデータの再生制御の実行を前記近接検出手段の検出結果に基づいて制限する制限ステップと、
を含むことを特徴とする携帯型再生装置の制御方法。
【請求項１２】
前記携帯型再生装置の傾きを検出する傾き検出手段と、前記携帯型再生装置へのユーザの近接を検出する近接検出手段とを含むコンピュータを、コンテンツデータを再生する携帯型再生装置として機能させるためのプログラムであって、
前記携帯型再生装置の傾きに関する傾き情報を前記傾き検出手段から取得する手段、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定手段、
前記判定手段によって前記経過時間が前記基準時間以内であると判定された場合、前記他の状態における前記携帯型再生装置の、前記基準状態に対する傾き方向に基づいて、前記コンテンツデータの再生位置を変更する再生制御手段、及び、
前記再生制御手段による前記コンテンツデータの再生制御の実行を前記近接検出手段の
検出結果に基づいて制限する制限手段、
として前記コンピュータを機能させるためのプログラム。
【請求項１３】
コンテンツデータを再生する携帯型再生装置であって、前記携帯型再生装置の傾きを検出する傾き検出手段を含む携帯型再生装置の制御方法において、
前記携帯型再生装置の傾きに関する傾き情報を前記傾き検出手段から取得するステップと、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定ステップと、
前記判定ステップにおいて前記経過時間が前記基準時間以内であると判定された場合、前記他の状態における前記携帯型再生装置の、前記基準状態に対する傾き方向に基づいて、前記コンテンツデータの再生位置を変更するステップであって、前記判定ステップにおいて前記経過時間が前記基準時間以内であると判定された場合において、前記他の状態における前記携帯型再生装置の、前記基準状態に対する前記傾き方向が、第１の軸を回転軸とする傾き方向である場合に、前記コンテンツデータの再生位置を変更する再生制御ステップと、
前記判定ステップにおいて前記経過時間が前記基準時間以内であると判定された場合において、前記他の状態における前記携帯型再生装置の、前記基準状態に対する前記傾き方向が、前記第１の軸と直交する第２の軸を回転軸とする傾き方向である場合に、前記コンテンツデータの現在の再生位置を示す情報を、記憶手段に記憶されるブックマークデータに登録するブックマーク登録ステップと、
を含むことを特徴とする携帯型再生装置の制御方法。
【請求項１４】
前記携帯型再生装置の傾きを検出する傾き検出手段を含むコンピュータを、コンテンツデータを再生する携帯型再生装置として機能させるためのプログラムであって、
前記携帯型再生装置の傾きに関する傾き情報を前記傾き検出手段から取得する手段、
前記傾き検出手段によって検出される前記携帯型再生装置の傾き状態が、基準状態から、前記基準状態との傾きの差が基準値以上である他の状態に変化し、該他の状態から前記基準状態に戻った場合に、前記携帯型再生装置の傾き状態が前記基準状態から前記他の状態へと変化し始めてから前記基準状態に戻るまでの経過時間が基準時間以内であるか否かを判定する判定手段、
前記判定手段によって前記経過時間が前記基準時間以内であると判定された場合、前記他の状態における前記携帯型再生装置の、前記基準状態に対する傾き方向に基づいて、前記コンテンツデータの再生位置を変更する手段であって、前記判定手段によって前記経過時間が前記基準時間以内であると判定された場合において、前記他の状態における前記携帯型再生装置の、前記基準状態に対する前記傾き方向が、第１の軸を回転軸とする傾き方向である場合に、前記コンテンツデータの再生位置を変更する再生制御手段、及び、
前記判定手段によって前記経過時間が前記基準時間以内であると判定された場合において、前記他の状態における前記携帯型再生装置の、前記基準状態に対する前記傾き方向が、前記第１の軸と直交する第２の軸を回転軸とする傾き方向である場合に、前記コンテンツデータの現在の再生位置を示す情報を、記憶手段に記憶されるブックマークデータに登録するブックマーク登録手段、
として前記コンピュータを機能させるためのプログラム。